(57)【特許請求の範囲】
【請求項１】
投影装置本体と、
当該投影装置本体に対して着脱自在に設けられ、光源となるランプと、同ランプの未使用状態を示すヒューズ及び電気抵抗素子を並列接続した装着検出回路とを有する光源ランプユニットと、
上記ランプから出射される光を用いて画像を投影する投影手段と、
上記装着検出回路への通電により上記光源ランプユニットの装着の有無及び装着されている場合に上記ランプが未使用状態か否かを上記光源ランプユニットの検出端子間の抵抗値が３つのレンジのうちどのレンジに入るかにより判定する判定手段と
を具備したことを特徴とする投影装置。
【請求項２】
上記光源ランプユニットの装着検出回路は、電気抵抗素子として温度検出可能な素子を上記ランプに近接配置し、
上記温度検出可能な素子により上記投影手段による投影動作時のランプの温度管理を行なうランプ管理手段をさらに具備する
ことを特徴とする請求項１記載の投影装置。
【請求項３】
上記光源ランプユニットの装着検出回路は、ヒューズとして電気ヒューズを用い、
上記光源ランプユニットの積算使用時間を計時する計時手段と、
上記判定手段により上記光源ランプユニットの装着、且つ上記ランプの未使用状態の判定時に上記計時手段で計時する上記光源ランプユニットの積算使用時間をリセットさせる第１の制御手段と、
上記判定手段により上記光源ランプユニットの装着、且つ上記ランプの未使用状態の判定時に上記電気ヒューズに通電して該電気ヒューズを溶断させる第２の制御手段と
をさらに具備したことを特徴とする請求項１または２記載の投影装置。
【請求項４】
上記光源ランプユニットの装着検出回路は、ヒューズとして上記ランプの点灯により溶断する温度ヒューズを用い、
上記光源ランプユニットの積算使用時間を計時する計時手段と、
上記判定手段により上記光源ランプユニットの装着、且つ上記ランプの未使用状態の判定時に上記計時手段で計時する上記光源ランプユニットの積算使用時間をリセットさせる制御手段と
をさらに具備したことを特徴とする請求項１または２記載の投影装置。
【請求項５】
上記電気抵抗素子は、上記ヒューズよりオーダーを大きい抵抗値を有することを特徴とする請求項１〜４のいずれか記載の投影装置。
【請求項６】
上記判定手段は、上記抵抗値が無限大であると判定した場合、上記光源ランプユニットが装着されていないものと認識することを特徴とする請求項１〜５のいずれか記載の投影装置。
【請求項７】
上記判定手段が、上記抵抗値が無限大であると判定した場合、上記光源ランプユニットが装着されていないことをユーザに報知する報知手段を更に備えることを特徴とする請求項１〜６のいずれか記載の投影装置。
【請求項８】
投影装置本体と、当該投影装置本体に対して着脱自在に設けられ、光源となるランプを有する光源ランプユニットと、上記ランプから出射される光を用いて画像を投影する投影部とを備えた投影装置での光源制御方法であって、
上記光源ランプユニットは、上記ランプの未使用状態を示すヒューズ及び電気抵抗素子を並列接続した装着検出回路を有し、
上記装着検出回路への通電により上記光源ランプユニットの装着の有無及び装着されている場合に上記ランプが未使用状態か否かを判定する判定工程を有したことを特徴とする光源制御方法。
【発明の詳細な説明】
【技術分野】
【０００１】
本発明は、高圧水銀ランプ等の光源を用いたプロジェクタ装置に好適な投影装置及び光源制御方法に関する。
【背景技術】
【０００２】
近年、より高画質で大画面の映像を観賞することができる液晶プロジェクタ等のプロジェクタ装置が普及しつつある一方で、ビジネス用途でもパーソナルコンピュータと接続してプレゼンテーションを行なうことが可能なデータプロジェクタ装置が一般化し手いる。
【０００３】
この種のプロジェクタ装置では、光源として高圧水銀ランプ等の高輝度放電管を用いているが、この高輝度放電管は積算使用時間が数百時間乃至千時間程度となっており、比較的高価であるにも拘わらず、同装置内で最も消耗の激しい部品となっている。
【０００４】
そのため、ランプをユニット部品（以下「ランプユニット」と称する）としてユーザが簡易に交換可能としている機種が多い反面、使用時間を正確に把握することは困難であり、ユーザは発光輝度が極端に低下するなど、甚だしく劣化した状態でようやく認識可能となるのが現状である。
【０００５】
また、ランプユニットの交換に際して手動で装置内のスイッチをリセット操作することにより、以後そのランプユニットの積算使用時間を計時する機能を有する機種も考えられている。しかしながら、必ずしもユーザが上記リセット操作を確実に行なうとは限らず、新しいランプユニットをしばらく使用した後に上記リセット操作を忘れたことに気づいた場合、すでに使用した時間を正確に知る手立てがないと、その後にどれだけ使用可能であるのかを判断することもできない。
【０００６】
そこで、ランプユニット交換時の積算使用時間を確実にリセット可能な技術が考えられた。（例えば、特許文献１）
【特許文献１】特開平１０−１７７８９８号公報
【発明の開示】
【発明が解決しようとする課題】
【０００７】
上記特許文献１に記載された技術は、ランプユニット内に備えた非可逆的スイッチとしてのヒューズの溶断状態からそのランプユニットが未使用であるか否かを判断するものであり、一度でも使用したランプユニットはヒューズが溶断することで、対応する端子間がオープンとなって、その抵抗値により使用済みであることが認識できる。
【０００８】
ところで、この種のプロジェクタ装置でランプユニットを交換するためには、装置の筐体外面を形成するケーシングの少なくとも一部を取り外すか、あるいはランプユニット交換用の開口を覆うカバー部分を開ける必要があり、通常の外観からはランプユニットが装着されているのか否かを目視で判断することは困難である。
【０００９】
しかるに、上記特許文献１に記載された技術で、上記非可逆スイッチに対応する端子間の抵抗値は、上述した如く使用済みのランプユニットが装着されている場合、及びランプユニットが装着されていない場合のいずれであってもオープン（無限大）であり、そのような状態では、使用済みのランプユニットが装着されているのか、ランプユニットが装着されていないのかを判断することはできないことになる。
【００１０】
そのため、ランプユニットの装着状態を検出するべく、例えばランプ自体への通電を行なう方法も考えられるが、この種の高輝度放電管を用いたランプでは、電極間に印加しなければならない電圧が非常に高く、ランプの点灯特性も考え合わせると、単にランプユニットの有無を判断するためだけに多くの電力を消費させるのは実用的ではない。
【００１１】
さらに、ランプユニットの有無を判断するための専用の回路とそのための端子をランプユニットに設けることも考えられるが、これはそのまま消耗部品であるランプユニットのコストを上昇させる一因となる。
【００１２】
本発明は上記のような実情に鑑みてなされたもので、その目的とするところは、できる限り簡易な構成としながらもランプユニットの装着状態を容易に判断することができ、さらには投影装置全体の構成も簡易化することが可能な投影装置及び光源制御方法を提供することにある。
【課題を解決するための手段】
【００１３】
請求項１記載の発明は、投影装置であって、投影装置本体と、当該投影装置本体に対して着脱自在に設けられ、光源となるランプと、同ランプの未使用状態を示すヒューズ及び電気抵抗素子を並列接続した装着検出回路とを有する光源ランプユニットと、上記ランプから出射される光を用いて画像を投影する投影手段と、上記装着検出回路への通電により上記光源ランプユニットの装着の有無及び装着されている場合に上記ランプが未使用状態か否かを上記光源ランプユニットの検出端子間の抵抗値が３つのレンジのうちどのレンジに入るかにより判定する判定手段とを具備したことを特徴とする。
【００１４】
請求項２記載の発明は、上記請求項１記載の発明において、上記光源ランプユニットの装着検出回路は、電気抵抗素子として温度検出可能な素子を上記ランプに近接配置し、上記温度検出可能な素子により上記投影手段による投影動作時のランプの温度管理を行なうランプ管理手段をさらに具備することを特徴とする。
【００１５】
請求項３記載の発明は、上記請求項１または２記載の発明において、上記光源ランプユニットの装着検出回路は、ヒューズとして電気ヒューズを用い、上記光源ランプユニットの積算使用時間を計時する計時手段と、上記判定手段により上記光源ランプユニットの装着、且つ上記ランプの未使用状態の判定時に上記計時手段で計時する上記光源ランプユニットの積算使用時間をリセットさせる第１の制御手段と、上記判定手段により上記光源ランプユニットの装着、且つ上記ランプの未使用状態の判定時に上記電気ヒューズに通電して該電気ヒューズを溶断させる第２の制御手段とをさらに具備したことを特徴とする。
【００１６】
請求項４記載の発明は、上記請求項１または２記載の発明において、上記光源ランプユニットの装着検出回路は、ヒューズとして上記ランプの点灯により溶断する温度ヒューズを用い、上記光源ランプユニットの積算使用時間を計時する計時手段と、上記判定手段により上記光源ランプユニットの装着、且つ上記ランプの未使用状態の判定時に上記計時手段で計時する上記光源ランプユニットの積算使用時間をリセットさせる制御手段とをさらに具備したことを特徴とする。
【００１７】
請求項８記載の発明は、投影装置本体と、当該投影装置本体に対して着脱自在に設けられ、光源となるランプを有する光源ランプユニットと、上記ランプから出射される光を用いて画像を投影する投影部とを備えた投影装置での光源制御方法であって、上記光源ランプユニットは、上記ランプの未使用状態を示すヒューズ及び電気抵抗素子を並列接続した装着検出回路を有し、上記装着検出回路への通電により上記光源ランプユニットの装着の有無及び装着されている場合に上記ランプが未使用状態か否かを判定する判定工程を有したことを特徴とする。
【発明の効果】
【００１８】
本発明によれば、できる限り簡易な構成としながらもランプユニットの装着状態を容易に判断することができ、さらには投影装置全体の構成も簡易化することが可能となる。
【発明を実施するための最良の形態】
【００１９】
（第１の実施形態）  
以下本発明をＤＬＰ（Ｄｉｇｉｔａｌ  Ｌｉｇｈｔ  Ｐｒｏｃｅｓｓｉｎｇ）（登録商標）方式のデータプロジェクタ装置に適用した場合の第１の実施形態について図面を参照して説明する。
【００２０】
図１は、本実施形態に係るデータプロジェクタ装置１０の概略機能構成である。１１は入出力コネクタ部であり、例えばピンジャック（ＲＣＡ）タイプのビデオ入力端子、Ｄ−ｓｕｂ１５タイプのＲＧＢ入力端子、及びＵＳＢ端子を備える。
【００２１】
入出力コネクタ部１１より入力される各種規格の画像信号は、入出力インタフェース１２（Ｉ／Ｆ）１２、システムバスＳＢを介し、スケーラとも称される画像変換部１３で投影に適した所定のフォーマットの画像信号に統一された後に、投影画像処理部１４へ送られる。
【００２２】
この際、ＯＳＤ（Ｏｎ  Ｓｃｒｅｅｎ  Ｄｉｓｐｌａｙ）用の各種キャラクタやポインタ等も必要に応じて画像信号に重畳加工するべく投影画像処理部１４へ送られる。
【００２３】
投影画像処理部１４は、送られてきた画像信号に応じて、所定のフォーマットに従ったフレームレート、例えば６０［フレーム／秒］と色成分の分割数、及び表示階調数を乗算した、より高速な時分割駆動により、空間的光変調素子（ＳＯＭ）であるマイクロミラー素子１５を表示駆動する。
【００２４】
一方、ランプユニット１６内のリフレクタ１７の焦点位置に配置された、例えば高圧水銀灯を用いた光源ランプ１８が高輝度の白色光を出射する。この光源ランプ１８は、バラスト１９からの電力により交流駆動される。
【００２５】
光源ランプ１８の出射した白色光は、マイクロミラー素子１５での表示に同期して高速回転するカラーホイール２０を介して時分割で原色に着色され、インテグレータ２１で輝度分布が略均一な光束とされた後にミラー２２で全反射して上記マイクロミラー素子１５に照射される。
【００２６】
そして、マイクロミラー素子１５での反射光で光像が形成され、形成された光像が投影レンズユニット２３を介して、投影対象となる図示しないスクリーンに投影される。
【００２７】
投影レンズユニット２３は、マイクロミラー素子１５で形成された光像を拡大してスクリーン等の対象に投影するものであり、合焦位置及びズーム位置（投影画角）を任意に可変できるものとする。
【００２８】
すなわち、投影レンズユニット２３中の図示しないフォーカスレンズ及びズームレンズは共に光軸方向に沿って前後に移動することで制御されるもので、それらレンズはステッピングモータ（Ｍ）２４の回動駆動により移動する。
【００２９】
また、上記光源ランプ１８を点灯させるためのバラスト１９への電力供給、上記カラーホイール２０用のモータ（Ｍ）２５の回転駆動、上記ステッピングモータ２４の回動駆動、及び上記ランプユニット１６に設けられた装着検出回路１６ａの制御をいずれも投影光処理部２６が実行する。
【００３０】
なお、上記投影画像処理部１４は、マイクロミラー素子１５で表示する色成分毎の画像の切換タイミングに同期したランプ同期信号を上記バラスト１９へ出力する。
【００３１】
上記各回路の動作すべてをＣＰＵ２７が制御する。このＣＰＵ２７は、ＤＲＡＭで構成されたメインメモリ２８、動作プログラムや各種定型データ等を記憶した電気的書換可能な不揮発性メモリで構成されたプログラムメモリ２９を用いてこのデータプロジェクタ装置１０内の制御動作を実行する。
【００３２】
またＣＰＵ２７は、プログラムメモリ２９に上記ランプユニット１６の積算使用時間を更新記憶させる。すなわち、ＣＰＵ２７は、投影動作中のランプユニット１６の使用時間をカウントし、投影動作終了時にそのカウント値とそれまでプログラムメモリ２９に記憶していた積算使用時間とを加算して、その和をあらたな積算使用時間としてプログラムメモリ２９に更新記憶させる。
【００３３】
上記ＣＰＵ２７は、操作部３０からの操作信号に応じて各種投影動作を実行する。この操作部３０は、データプロジェクタ装置１０の筐体本体に設けられたキー操作部と、このデータプロジェクタ装置１専用の図示しないリモートコントローラからの赤外線変調信号を受信する赤外線受信部とを含み、ユーザがキー操作部またはリモートコントローラを介して操作したキーに基づくキーコード信号をＣＰＵ２７へ直接出力する。
【００３４】
上記ＣＰＵ２７はさらに、上記システムバスＳＢを介して音声処理部３１と接続される。  
音声処理部３１は、ＰＣＭ音源等の音源回路を備え、投影動作時に与えられる音声データをアナログ化し、スピーカ部３２を駆動して拡声放音させ、あるいは必要によりビープ音等を発生させる。
【００３５】
次いで、図２により上記ランプユニット１６とその周辺の具体的な電気回路の構成についても説明する。  
ランプユニット１６の内部には、光源ランプ１８をその焦点位置に配したリフレクタ１７と装着検出回路１６ａとを有している。装着検出回路１６ａは、電気ヒューズＦ１とサーミスタＴＭ１を並列接続した構成を採る。
【００３６】
ランプユニット１６には計４つの端子が設けられ、そのうちの２つが光源ランプ１８を交流駆動するためのものと上記バラスト１９と接続される。  
また、残る２つの端子は装着検出回路１６ａ用であり、その一方の端子が上記投影光処理部２６及びスイッチ回路用のトランジスタＱ１のエミッタ及び抵抗Ｒ１の一端と接続される。同トランジスタＱ１のコレクタに電圧Ｖが印加されると共に同コレクタが上記抵抗Ｒ１の他端と接続される。さらに、上記トランジスタＱ１のベースに投影光処理部２６からのスイッチング信号が与えられる。なお、装着検出回路１６ａ用の他方の端子は抵抗Ｒ２を介して接地される。
【００３７】
次に上記実施形態の動作について説明する。  
図３は、このデータプロジェクタ装置１０での電源投入当初に、初期化の一環として実行するランプユニットのチェック処理の内容を示すフローチャートであり、その動作はＣＰＵ２７がプログラムメモリ２９から読出した動作プログラムをメインメモリ２８に展開して実行することで、このＣＰＵ２７からシステムバスＳＢを介して投影光処理部２６に制御データが逐次送達され、投影光処理部２６がそれら制御データに基づいて処理する。
【００３８】
その動作当初には、ＣＰＵ２７の制御の下に投影光処理部２６が、ランプユニット１６の装着検出回路１６ａと接続された端子を用いて装着検出回路１６ａの抵抗値Ｒをチェックする（ステップＳ１０１）。
【００３９】
ここで具体的には、装着検出回路１６ａの抵抗値Ｒが数百［ｍΩ］オーダーであるか、数［ｋΩ］オーダーであるか、あるいは「∞（無限大）」であるかの非常に大まかな抵抗値検出を行なう。
【００４０】
装着検出回路１６ａの抵抗値Ｒが数百［ｍΩ］オーダーであった場合、装着検出回路１６ａを構成する２つの素子、電気ヒューズＦ１とサーミスタＴＭ１とが共に存在することとなり、電気ヒューズＦ１がまだ溶断していないことになるので、このランプユニット１６が新たに装着されたものであると認識する（ステップＳ１０２）。
【００４１】
この認識結果に従い、ＣＰＵ２７がプログラムメモリ２９に記憶している積算使用時間をリセットさせる（ステップＳ１０３）。  
その後、このランプユニット１６がすでに装着済みであることを設定するべく、ＣＰＵ２７が上記トランジスタＱ１のベースへのスイッチング信号をオンし、トランジスタＱ１を導通させることで、同トランジスタＱ１のコレクタに印加されている電圧Ｖを装着検出回路１６ａの電気ヒューズＦ１に直接与えて、電気ヒューズＦ１を溶断させる（ステップＳ１０４）。
【００４２】
その後、単にサーミスタＴＭ１のみとなった装着検出回路１６ａの抵抗値Ｒを再度検出することでそのランプユニット１６の温度を検出し（ステップＳ１０５）、以上でこの図３の処理を終了する。
【００４３】
また、上記ステップＳ１０１で装着検出回路１６ａの抵抗値Ｒが数［ｋΩ］オーダーであった場合、装着検出回路１６ａを構成する２つの素子、電気ヒューズＦ１とサーミスタＴＭ１のうち、電気ヒューズＦ１はすでに溶断していることになるので、このランプユニット１６がすでに装着済みの（古い）ものであると認識する（ステップＳ１０６）。
【００４４】
その後、上記ステップＳ１０５に進んでサーミスタＴＭ１のみとなった装着検出回路１６ａの抵抗値Ｒを再度検出することでそのランプユニット１６の温度を検出し、以上でこの図３の処理を終了する。
【００４５】
さらに、上記ステップＳ１０１で装着検出回路１６ａの抵抗値Ｒが「∞（無限大）」であった場合、装着検出回路１６ａ用の２つの端子には何も接続されておらず、ランプユニット１６自体が装着されていないものと認識する（ステップＳ１０７）。
【００４６】
この場合、光源となるランプユニット１６が接続されていないために投影動作に移行することができず、直ちにこの図３の処理を終了すると共に、ＣＰＵ２７は所定の警告報知、例えば音声処理部３１によりスピーカ部３２で、例えば  
「ランプユニットが装着されていません  
新しいランプユニット１６を装着して下さい」  
のような音声ガイドメッセージを出力させるか、あるいは所定のパターンによるビープ音を放音させるなどして、ランプユニット１６が装着されていないことをユーザに報知する。
【００４７】
以上詳記した如く本実施形態によれば、ランプユニット１６に形成する装着検出回路１６ａを非常に簡易な回路構成としながらも、ランプユニット１６の装着状態をきわめて容易に判断することができる。
【００４８】
また、ランプユニット１６でデータプロジェクタ装置１０側と接続するための端子数は光源ランプ１８用と合わせても計４つ、装着検出回路１６ａ用の端子は２つのみとなり、装着検出回路１６ａ自体が簡易な回路構成であることも合わせて、データプロジェクタ装置１０全体の構成を簡易化することが可能となる。
【００４９】
なお上記実施形態では、装着検出回路１６ａを構成する２つの素子として、ランプユニット１６が未装着のものであるか否かを判断するための電気ヒューズＦ１と、ランプユニット１６が装着されているか否かの判定用、及び光源ランプ１８の温度の検出するセンサを兼ねたサーミスタＴＭ１とを並列に接続するものとした。
【００５０】
しかしながら、単にランプユニット１６が装着されているか否かを判定するのみであれば、上記サーミスタＴＭ１に代えて、単なる電気抵抗を配設するものとしてもよい。
【００５１】
本実施形態では、光源ランプ１８の温度管理を行なうためのセンサとして機能するサーミスタＴＭ１を装着検出回路１６ａ内に設けるものとしたので、データプロジェクタ装置１０側には温度センサを設ける必要がなくなる。  
この点で、データプロジェクタ装置１０の構成をさらに簡易にすることができると共に、将来、新たに供給される光源ランプ１８の温度特性等が変化した場合でも、それに対応した温度センサとしてのサーミスタＴＭ１を同ランプユニット１６内に設けるものとすればよいので、消耗部品であるランプユニット１６のバージョンアップにも容易に対処できる。
【００５２】
また、上記実施形態では、装着検出回路１６ａ内でランプユニット１６が未装着のものであるか否かを判断するための素子として電気ヒューズＦ１を用いるものとした。  
これにより、ランプユニット１６を構成する一部品をきわめて安価な素子で実現でき、消耗部品であるランプユニット１６自体の価格を低く抑えることができる。
【００５３】
（第２の実施の形態）  
以下本発明をＤＬＰ（登録商標）方式のデータプロジェクタ装置に適用した場合の第２の実施形態について図面を参照して説明する。
【００５４】
なお、本実施形態に係るデータプロジェクタ装置の概略機能構成については、上記図１で示した内容と基本的に同様であるため、同一部分には同一符号を用いるものとしてその図示と説明とを省略する。
【００５５】
次に、図４により上記ランプユニット１６とその周辺の具体的な電気回路の構成についても説明する。図４では、ランプユニット１６内の装着検出回路１６ａを構成する２つの素子のうち、上記図２の電気ヒューズＦ１に相当する素子として、温度ヒューズＴＦ１を用いるものとしている。
【００５６】
また、上記図２のトランジスタＱ１及び抵抗Ｒ１によるスイッチング回路を不要として、投影光処理部２６から装着検出回路１６ａ用の一方の端子に直接接続するのみとしている。
【００５７】
その他は上記図２で説明したものと同様であるので、それら同一部分については同一符号を用いるものとしてその説明を省略する。
【００５８】
上記のような回路構成とした場合、装着検出回路１６ａがデータプロジェクタ装置１０に未装着のものであれば、新たにそのランプユニット１６を装着した場合に温度ヒューズＴＦ１が溶断していないことから投影光処理部２６及びＣＰＵ２７側ではランプユニット１６が新しいものであることが認識できるので、プログラムメモリ２９に記憶されている積算使用時間をリセットすることになる。
【００５９】
その後、投影動作を実行する過程で光源ランプ１８への通電が開始されると、その発熱により装着検出回路１６ａ内の温度ヒューズＴＦ１が溶断するため、上記図２に示したトランジスタＱ１及び抵抗Ｒ１によるスイッチング回路を設ける必要がなく、第１の実施形態に比してさらに装置の構成を簡易化することが可能となる。
【００６０】
温度ヒューズＴＦ１が溶断したランプユニット１６に対するデータプロジェクタ装置１０の処理、及びランプユニット１６が装着されていない状態でのデータプロジェクタ装置１０側の処理は上記第１の実施形態と同様である。
【００６１】
なお、上記第１及び第２の実施の形態では、装着検出回路１６ａでランプユニット１６が装着されているか否かの判定用、及び光源ランプ１８の温度の検出するセンサを兼ねてサーミスタＴＭ１を用いるものとしたが、同様の機能を実現する素子であれば、例えば熱電対や測温抵抗体等を用いるものとしてもよい。
【００６２】
また、上記第１及び第２の実施形態はいずれも、ＤＬＰ（登録商標）方式のデータプロジェクタ装置に適用した場合について説明したものであるが、本発明は光像を形成する素子等を限定するものではなく、要は交換可能なランプユニットを用いるものであれば、他の投影装置にも同様に適用可能となる。
【００６３】
その他、本発明は上述した実施形態に限定されるものではなく、実施段階ではその要旨を逸脱しない範囲で種々に変形することが可能である。また、上述した実施形態で実行される機能は可能な限り適宜組合わせて実施しても良い。上述した実施形態には種々の段階が含まれており、開示される複数の構成要件による適宜の組合せにより種々の発明が抽出され得る。例えば、実施形態に示される全構成要件からいくつかの構成要件が削除されても、効果が得られるのであれば、この構成要件が削除された構成が発明として抽出され得る。
【図面の簡単な説明】
【００６４】
【図１】本発明の第１の実施形態に係るデータプロジェクタ装置の電子回路の機能構成を示すブロック図。
【図２】同実施形態に係るランプユニットとその周辺の具体的な電気回路構成を示す図。
【図３】同実施形態に係る電源投入当初に初期化の一環として実行するランプユニットのチェック処理の内容を示すフローチャート。
【図４】本発明の第２の実施の形態に係るランプユニットとその周辺の具体的な電気回路構成を示す図。
【符号の説明】
【００６５】
１０…データプロジェクタ装置、１１…入出力コネクタ部、１２…入出力インタフェース（Ｉ／Ｆ）、１３…画像変換部、１４…投影画像処理部、１５…マイクロミラー素子、１６…ランプユニット、１６ａ…装着検出回路、１７…リフレクタ、１８…光源ランプ、１９…バラスト、２０…カラーホイール、２１…インテグレータ、２２…ミラー、２３…投影レンズユニット、２４…ステッピングモータ（Ｍ）、２５…モータ（Ｍ）、２６…投影光処理部、２７…ＣＰＵ、２８…メインメモリ、２９…プログラムメモリ、３０…操作部、３１…音声処理部、３２…スピーカ部、Ｆ１…電気ヒューズ、Ｑ１…（スイッチング用）トランジスタ、Ｒ１，Ｒ２…抵抗、ＳＢ…システムバス、ＴＦ１…温度ヒューズ、ＴＭ１…サーミスタ。
【図１】
0005272481.tif 000002
【図２】
0005272481.tif 000003
【図３】
0005272481.tif 000004
【図４】
0005272481.tif 000005